(57)【要約】【課題】案内凹部の前部において洗浄水が上方に向けて流れて飛散しない。洗浄水の噴出速度を速くでき、少量の洗浄水で高い洗浄能力を発揮できる。掃除がし易い。【解決手段】ボウル１の上端開口縁部に設けたリム部２の下面側にボウル１内に向けて側方に開口する案内凹部３を形成する。案内凹部３のボウル１の後端部側から案内凹部３内に洗浄水を噴出する洗浄水噴出部４を設ける。洗浄水噴出部４から噴出した洗浄水が案内凹部３の後端部から案内凹部３に沿って流れつつ案内凹部３の側方開口からボウル１内に流れるように構成する。ボウル１の側部において案内凹部３の内面の縦断面形状を弧状とする。ボウル１部の前部において案内凹部３の内面の縦断面形状を案内凹部３の天面６となるリム部２下面の側方開口７側の端部を水平部８とすると共に残りの部分を弧状とする。【選択図】図１
2008095447.tif 000002
【特許請求の範囲】
【請求項１】
ボウルの上端開口縁部に設けたリム部の下面側にボウル内に向けて側方に開口する案内凹部を形成し、案内凹部のボウルの後端部側から案内凹部内に洗浄水を噴出する洗浄水噴出部を設け、該洗浄水噴出部から噴出した洗浄水が案内凹部の後端部から案内凹部に沿って流れつつ案内凹部の側方開口からボウル内に流れる便器において、ボウルの側部において案内凹部の内面の縦断面形状を弧状とし、ボウル部の前部において案内凹部の内面の縦断面形状を案内凹部の天面となるリム部下面の側方開口側の端部を水平部とすると共に残りの部分を弧状として成ることを特徴とする便器。
【請求項２】
リム部の内周面をボウル側程下となるように傾斜させて成ることを特徴とする請求項１記載の便器。
【発明の詳細な説明】
【技術分野】
【０００１】
本発明は、便器における洗浄水をボウル内に流すための技術に関するものである。
【背景技術】
【０００２】
従来から、便器のボウル内に洗浄水を供給してボウルを洗浄するに当り、ボウルの上端開口縁部に設けたリム部の内部を中空の水路とし、リム部の下面に所定間隔で吐水口を設け、リム部内の中空の水路に洗浄水を供給し、リム部の下面の設けた複数の吐水口からボウル内に洗浄水を吐水してボウル内を洗浄する方式が知られている。ところが、この従来例にあっては、リム部内の中空の水路に供給された洗浄水をリム部の下面に設けた複数の吐水口からボウル内に吐水するものであるから、洗浄水はリム部下面の吐水口から吐水する際に勢いが減じられてボウル内面を大略上から下に向けて流れることになり、ボウルの洗浄能力が低いという問題がある。
【０００３】
また、便器のボウル内に洗浄水を供給してボウルを洗浄するに当り、ボウルの上端開口縁部に設けたリム部の下面側にボウル内に向けて側方に開口する案内凹部を形成し、案内凹部のボウルの後端部側から案内凹部内に洗浄水を噴出し、洗浄水を案内凹部の後端部から案内凹部に沿って流しつつ案内凹部の側方開口からボウル内に流すことで、洗浄水がボウル内面を旋回流となって流れるようにして、上記中空のリム部の下面の吐水口から洗浄水を下方に流す従来例よりも洗浄能力を高めるようにした洗浄方式も知られている（例えば特許文献１参照）。
【０００４】
ところが、この特許文献１に示された従来例は、図８に示すように、ボウル１の上開口部の内周面に形成した案内凹部３の前部の内面の縦断面形状が弧状となっている。このため、案内凹部３の後端部の洗浄水噴出部４から案内凹部３内に噴出された洗浄水が案内凹部３内に沿って流れる際、案内凹部３の前部においては洗浄水が案内凹部３内の奥壁に衝突して向きを変えるのであるが、この場合、案内凹部３の前部の奥壁に衝突した洗浄水が案内凹部３の前部の弧状となった天面に沿って図８の矢印イのように上方に向けて流れ出して飛散する恐れがある。このため、従来においては、図８の矢印イのように上方に飛散しないようにするには、洗浄水噴出部４からの洗浄水の噴出速度を大きくすることが出来ない。このように洗浄水の噴出速度を大きく出来ないので、所定の洗浄を行うには１回の洗浄に当たって使用する洗浄水の量を多くする必要があるという問題があった。
【特許文献１】特開２００１−２７１４０７号公報
【発明の開示】
【発明が解決しようとする課題】
【０００５】
本発明は上記の従来の問題点に鑑みて発明したものであって、案内凹部の前部において洗浄水が上方に向けて流れて飛散することがなく、また、洗浄水の噴出速度を速くすることが可能で、少量の洗浄水で高い洗浄能力を発揮でき、更に、掃除がし易い便器を提供することを課題とするものである。
【課題を解決するための手段】
【０００６】
上記課題を解決するために本発明に係る便器は、ボウル１の上端開口縁部に設けたリム部２の下面側にボウル１内に向けて側方に開口する案内凹部３を形成し、案内凹部３のボウル１の後端部側から案内凹部３内に洗浄水を噴出する洗浄水噴出部４を設け、該洗浄水噴出部４から噴出した洗浄水が案内凹部３の後端部から案内凹部３に沿って流れつつ案内凹部３の側方開口からボウル１内に流れる便器５において、ボウル１の側部において案内凹部３の内面の縦断面形状を弧状とし、ボウル１部の前部において案内凹部３の内面の縦断面形状を案内凹部３の天面６となるリム部２下面の側方開口７側の端部を水平部８とすると共に残りの部分を弧状として成ることを特徴とするものである。
【０００７】
このような構成とすることで、洗浄水噴出部４から案内凹部３の後端部内に噴出された洗浄水が案内凹部３の後端部から案内凹部３に沿って流れつつ案内凹部３の側方開口からボウル１内に流れることで、洗浄水が旋回流となってボウル１内面を流れてボウル１内面を旋回流により効果的に洗浄することができる。また、案内凹部３内の後端部に噴出された洗浄水が案内凹部３内のボウル１の側部に対応する部分を流れて前部に至って方向転換する際、案内凹部３の前部において洗浄水が案内凹部３内の奥壁に衝突して向きを変えるのであるが、この場合、案内凹部３の前部の奥壁に衝突した洗浄水が案内凹部３の前部の天面６の端部が弧状となっておらずに水平部８となっているので、上方に向けて流れ出して飛散することがない。このように、案内凹部３の前部において水平部８により洗浄水が上方に飛散するのを防止できるので、洗浄水の噴出速度を速くすることが可能となり、洗浄水の噴出速度を速くした場合は、少ない水量の洗浄水で効果的にボウル１を洗浄することができる。また、ボウル１の側部において案内凹部３の内面の縦断面形状を弧状としてあるので、案内凹部３を掃除する際に掃除がし易く、また、前部においても案内凹部３の天面６の前面を水平にするのではなく、天面６の側方開口７側の端部を水平部８としてあるので、最も掃除がし難くて汚れが取れ難い天面６の奥側は弧状となっており、この部分の掃除が容易にできることになる。
【０００８】
また、リム部２の内周面をボウル１側程下となるように傾斜させることが好ましい。
【０００９】
このような構成とすることで、リム部２の上面、側面に付着した小便などの汚水をリム部２の傾斜面９となった内周面に沿ってスムーズにボウル１内に流すことができる。
【発明の効果】
【００１０】
本発明は、上記のように、ボウル部の前部において案内凹部の内面の縦断面形状を案内凹部の天面となるリム部下面の側方開口側の端部を水平部としてあるので、洗浄水が案内凹部の前部の奥壁に衝突して天面に沿って上方に飛散することがなく、また、水平部により洗浄水の上方への飛散を防止できるので、洗浄水の噴出速度が速くすることが可能となり、洗浄水の噴出速度を速くすると少量の洗浄水による旋回流で効率的にボウルの内面の洗浄ができるものであり、しかも、案内凹部の前部の端部を水平部としたと言えども、ボウルの側部において案内凹部の内面の縦断面形状を弧状とし、ボウル部の前部の天面の端部の水平部を除いて弧状としてあるので、案内凹部内の掃除、特に最も掃除がし難い案内凹部の天面の奥の掃除が容易にできる。
【発明を実施するための最良の形態】
【００１１】
以下、本発明を添付図面に示す実施形態に基いて説明する。便器５にはボウル１が設けてあり、ボウル１の上端開口縁部には全周にわたってボウル１内側に向けて突出するリム部２が設けてある。
【００１２】
ボウル１の上端開口縁部に設けたリム部２の下面側には案内凹部３を形成してあり、この案内凹部３は全長にわたってボウル１内に向けて側方が開口して側方開口７となっている。
【００１３】
添付図面に示す実施形態においては、ボウル１を備えた便器５はその主体部分が合成樹脂製となっているが、陶器製であってもよい。
【００１４】
添付図面に示す実施形態では、図１、図２に示すように、便器５は、ボウル１を備えた前パーツ１０と、後パーツ１１と、支持フレーム１２とで構成してあり、便器５の主体を構成する前パーツ１０、後パーツ１１は共に合成樹脂製である。
【００１５】
前パーツ１０は水平断面略Ｃ字状をしたスカート部１３と、スカート部１３内の上部に嵌め込んで溶着一体化されたボウル部１４と、更にボウル部１４の上に嵌め込んでボウル部１４の上端縁部及びスカート部１３の上端縁部に溶着一体化されたリム部２とで構成してある。ここで、ボウル部１４とリム部２とでボウル１が構成してある。
【００１６】
後パーツ１１は、上カバー１６、装置支持ケース１７、リアカバー１８、上サイドカバー１９、下サイドカバー２０により構成してあり、これらはいずれも合成樹脂製である。
【００１７】
支持フレーム１２は金属製であって、前パーツ１０を支持フレーム１２にねじ具により取付け、後パーツ１１の装置支持ケース１７に局部洗浄用の温水洗浄装置２１ａ、局部乾燥用の送風装置２１ｂ、ボウル１内の臭気を脱臭するための脱臭装置２１ｃ等の便器付属装置２１が取付けてあり、この装置支持ケース１７を支持フレーム１２にねじ具により取付けて支持してある。上カバー１６は装置支持ケース１７を覆うようにして取付けられるもので、上カバー１６には便座２２、便蓋２３が回動自在に取付けてある。リアカバー１８は、装置支持ケース１７や支持フレーム１２に取付けてあり、上サイドカバー１９はリアカバー１８に着脱自在に取付けてあり、下サイドカバー２０は上サイドカバー１９に着脱自在に係止して位置決めした状態で磁石により支持フレーム１２に対して着脱自在に取付けてある。
【００１８】
ボウル部１４の底部には排水筒部１４ａが形成してあり、該排水筒部１４ａにはトラップの一端部が接続される。本実施形態ではトラップはターントラップ方式のもので、フレキシブルなトラップ筒（図示せず）により構成してあり、モータ（図示せず）によりトラップ筒を回動して、トラップ筒が上向きＵ字状となったトラップ構造となる状態と、略逆Ｌ字状となってトラップ構造が解除される状態とを選択できるようになっており、通常はトラップ筒が上向きＵ字状となったトラップ構造となっていてボウル部１４内の下部、排水筒部１４ａ、トラップ筒内に水が溜まった状態となっていて、この状態で大便や小便を行い、大便や小便が終わると、後述のように洗浄水を流すと共に、トラップ筒を回動してトラップ構造を解除する状態して、汚物と共に汚水を排水するようになっている。上記フレキシブルなトラップ筒、モータ等はトラップケース３４内に収納してあり、該トラップケース３４は金属製の支持フレーム１２に取付けてある。なお、トラップケースの下部は開口していてトラップ筒の端部が床に形成される排水筒に接続される。
【００１９】
添付図面に示す実施形態においては、図３、図４に示すように、ボウル１の上端開口縁部の全周にわたって形成したリム部２の内周面はボウル１側程下となるように傾斜した傾斜面９となっている。この傾斜面９となったリム部２のうちリム部２の後部の内周面は他の部分の内周面に比べて傾斜面９の傾斜角度が急となっており、このリム部２の後部の内周面には温水洗浄装置２１ａに設けた洗浄ノズル２４をボウル１内に出し入れするための洗浄ノズル出し入れ用開口部２５を設けると共に送風装置２１ｂのダクト先端部から噴出する温風又は冷風をボウル１内に吹き出すための送風用開口部２６が左右に並べて設けてあり、また、リム部２の後端部の下面には図７に示すように上記洗浄ノズル出し入れ用開口部２５、送風用開口部２６から左右方向にずれた位置に、脱臭装置２１ｃに連通するボウル１内臭気を吸込むための脱臭用開口部２７を設けると共に、ボウル１内を明るく照らすためのＬＥＤのような発光部２８が臨む発光用開口部２９が設けてある。
【００２０】
リム部２の下面とボウル部１４の上外周部上面とに囲まれた部分は全周にわたって側方に開口した案内凹部３となっているが、この案内凹部３の後端部の左右方向の一端部には図６に示すように洗浄水噴出部４を構成する洗浄ノズル４ａが嵌め込まれる洗浄ノズル嵌め込み口３０が設けてあり、該洗浄ノズル嵌め込み口３０の側部が仕切り壁部３１となっている。したがって、洗浄水噴出部４から案内凹部３の後端部の左右方向の一端部に噴出された洗浄水はボウル１の一側部の案内凹部３内を流れ、ボウル１の前部の一側部の案内凹部３部分で方向転換してボウル１の前部の他側部に流れ、ここで方向転換して後方に向かってボウル１の他側部の案内凹部３内を流れ、ボウル１の後端部の他側部分の案内凹部３内で方向転換して案内凹部３の後端部に沿って流れて仕切り壁部３１に至り、仕切り壁部３１に沿って前方に流れてボウル１内に流下する。このように洗浄水が案内凹部３内を旋回して流れる際に、洗浄水の一部が案内凹部３の側方開口７の下端縁部部分から徐々にボウル１内に図６の矢印のように旋回流となって流れ、この旋回流によりボウル１内が洗浄されることになる。
【００２１】
ここで、本発明においては、図４に示すようにボウル１の側部において案内凹部３の内面の縦断面形状が弧状となっている。つまり、ボウル１の側部においては案内凹部３の内面は側方開口７の上端から下端に至る全領域が弧状となった弧状面３２となっている。
【００２２】
一方、図３に示すようにボウル１部の前部において案内凹部３の内面の縦断面形状が案内凹部３の天面６となるリム部２下面の側方開口７側の端部が水平部８となっており、この水平部８を除いた残りの部分が弧状となった前弧状面３３となっている。したがって、ボウル１部の前部において案内凹部３内の天面６の奥部は前弧状面３３の一部となっていて弧状をした曲面となっている。
【００２３】
上記のように、ボウル１部の前部において案内凹部３の内面の縦断面形状が案内凹部３の天面６となるリム部２下面の側方開口７側の端部が水平部８となるようにしてあるので、案内凹部３内の後端部に噴出された洗浄水が案内凹部３内のボウル１の側部に対応する部分を流れて前部に至って方向転換する際、案内凹部３の前部において洗浄水が案内凹部３内の奥壁に衝突しても奥壁に衝突した洗浄水は、案内凹部３の前部の天面６の端部が弧状となっておらずに水平部８となっているので、上方に向けて流れ出して飛散することない。
【００２４】
このように、案内凹部３の前部の天面６の端部に水平部８を設けることにより、洗浄水が上方に飛散するのを防止できるので、洗浄水の噴出速度を速くすることが可能となり、洗浄水の噴出速度を速くした場合は、少ない水量の洗浄水で効果的にボウル１を洗浄することができ、節水タイプの便器５とすることができる。
【００２５】
ここで、トラップがターントラップ方式のものの場合、フレキシブルなトラップ筒を回動してトラップ筒内に溜まっている汚水と共に汚物を排水するので、サイフォン式やサイフォンジェット式、あるいは洗い流し式のものに比べて、使用する洗浄水の水量が少なくてよいので、上記のように少ない洗浄水でボウル１内面の洗浄ができる本発明のものは特に、ターントラップ式のものに有効に適用できる。
【００２６】
もちろん、本発明においてターントラップ式のものにのみ限定されず、サイフォン式やサイフォンジェット式、あるいは洗い流し式のものにも使用できるのはいうまでもない。
【００２７】
また、上記のように洗浄水が上方に飛散しないように、水平部８を設けたものであるにもかかわらず、水平部８は案内凹部３の前部の天面６の端部に設けてあるだけで、ボウル１の側部においは案内凹部３の内面の縦断面形状を弧状としてあり、また、ボウル１部の前部の案内凹部３の天面６の側方開口７側の端部を除く残りの部分を弧状としてあるので、案内凹部３内の掃除が容易に行えることになる。特に、案内凹部３内において最も掃除がし難い天面６の奥部は案内凹部３の側部及び前部のいずれにおいても弧状の曲面となっているので、容易に掃除ができることになる。
【００２８】
また、本発明において、リム部２の内周面をボウル１側程下となるように傾斜した傾斜面９としてあるので、リム部２の小便などの汚水が飛散した場合にリム部２の内側面の傾斜面９に沿ってスムーズにボウル１内に流すことができるものであり、また、リム部２の内周面が傾斜面となっているので、リム部２の内周面の掃除も容易に行えることになる。
【００２９】
なお、上記した実施形態においては、リム部２の下面側の全周にわたって形成した案内凹部３の後端部の左右方向の一端部には洗浄水噴出部４を構成する洗浄ノズル４ａが嵌め込まれる洗浄ノズル嵌め込み口３０が設けた例を示したが、案内凹部３の後端部の左右方向の両端部にそれぞれ洗浄水噴出部４を構成する洗浄ノズル４ａが嵌め込まれる洗浄ノズル嵌め込み口３０を設けてもよい。この場合は、案内凹部３の後端部の左右方向の両端部からそれぞれ案内凹部３の両側部に沿って案内凹部３の前部の左右両側に流れ、案内凹部３の前部の左右方向の中央部で合流してボウル１内に流れるようになっている。
【図面の簡単な説明】
【００３０】
【図１】本発明の全体斜視図である。
【図２】同上の一部分解斜視図である。
【図３】同上の前パーツの前後方向の断面図である。
【図４】同上の前パーツの左右方向の断面図である。
【図５】同上の前パーツの分解斜視図である。
【図６】同上のボウル部の平面図である。
【図７】同上のリム部の下面図である。
【図８】従来例の断面図である。
【符号の説明】
【００３１】
１  ボウル
２  リム部
３  案内凹部
４  洗浄水噴出部
５  便器
６  天面
７  側方開口
８  水平部
【図１】
2008095447.tif 000003
【図２】
2008095447.tif 000004
【図３】
2008095447.tif 000005
【図４】
2008095447.tif 000006
【図５】
2008095447.tif 000007
【図６】
2008095447.tif 000008
【図７】
2008095447.tif 000009
【図８】
2008095447.tif 000010